(57)【要約】【課題】有機ＥＬパネルなどの面状光源を用いて細長い発光域を実現する光源装置および車両用灯具を提供する。【解決手段】車両用灯具１０は、光源装置２０を備える。光源装置２０は、発光曲面を備える有機ＥＬパネル２４などの面状光源と、発光曲面からの光を発光曲面と角度をなす光出射細長領域２２に向ける光学部材２６と、を備える。光学部材２６は、発光曲面に対向して配置され、発光曲面の曲線状前縁に沿って光出射細長領域２２を定めてもよい。発光曲面の面積は、光出射細長領域２２の面積より大きくてもよい。【選択図】図１
2017191769.tif 000002
【特許請求の範囲】
【請求項１】
発光曲面を備える面状光源と、
前記発光曲面からの光を前記発光曲面と角度をなす光出射細長領域に向ける光学部材と、を備えることを特徴とする光源装置。
【請求項２】
曲線状前縁を有する発光曲面を備える面状光源と、
前記発光曲面に対向して配置され、前記曲線状前縁に沿って光出射細長領域を定める光学部材と、を備えることを特徴とする光源装置。
【請求項３】
前記発光曲面の面積は、前記光出射細長領域の面積より大きいことを特徴とする請求項１または２に記載の光源装置。
【請求項４】
前記発光曲面は、平面の曲げにより形成される曲面形状を有することを特徴とする請求項１から３のいずれかに記載の光源装置。
【請求項５】
前記光出射細長領域は、前記発光曲面と交差する他の曲面に沿って延在することを特徴とする請求項１から４のいずれかに記載の光源装置。
【請求項６】
前記面状光源は、前記発光曲面を形成する複数の有機ＥＬパネルを備えることを特徴とする請求項１から５のいずれかに記載の光源装置。
【請求項７】
前記光学部材は、前記発光曲面からの光を前記光出射細長領域に向けて反射する反射曲面を備え、
前記光出射細長領域は、前記発光曲面の曲線状前縁と前記反射曲面の曲線状前縁との間に定められていることを特徴とする請求項１から６のいずれかに記載の光源装置。
【請求項８】
発光面を備える面状光源と、
前記発光面からの光を前記発光面と角度をなす光出射細長領域に向ける光学部材と、を備え、
前記発光面の面積が前記光出射細長領域の面積より大きいことを特徴とする光源装置。
【請求項９】
前記光源装置は、複数色の発光を可能とすることを特徴とする請求項１から８のいずれかに記載の光源装置。
【請求項１０】
請求項１から９のいずれかに記載の光源装置を備えることを特徴とする車両用灯具。
【発明の詳細な説明】
【技術分野】
【０００１】
本発明は、光源装置および車両用灯具に関する。
【背景技術】
【０００２】
有機ＥＬ（Electroluminescence）パネルを使用する車両用灯具の実用化が試みられている。有機ＥＬパネルは、ＯＬＥＤ（Organic Light Emitting Diode）パネルとも呼ばれる。
【０００３】
例えば、特許文献１には、ガラス基板の周縁に発光部を細長く設けた有機ＥＬパネルを備える車両用灯具が開示されている。細長い発光部は、例えばテールランプなどの標識灯に適用することが意図される。発光部は、陰極層と、ガラス基板の外周に向けて延びる延在部を有する透明導電膜と、陰極層と透明導電膜の間に挟まれた有機発光層と、透明導電膜の延在部と接触する金属電極と、を備える。金属電極は、ガラス基板の全周に設けられている。
【先行技術文献】
【特許文献】
【０００４】
【特許文献１】特開２０１５−２２９１７号公報
【発明の概要】
【発明が解決しようとする課題】
【０００５】
上記の構成によれば、陽極である金属電極の直近に有機発光層を設けることで、透明導電膜の電圧降下による輝度低下を最小限に抑えられる。よって、細長発光部の輝度を高められるという利点がある。しかしながら、本発明者は、上記構成には発光均一性、製造コストなど実用に向けていくつかの課題があることを認識した。
【０００６】
本発明はこうした状況に鑑みてなされたものであり、その目的は、有機ＥＬパネルなどの面状光源を用いて細長い発光域を実現する光源装置および車両用灯具を提供することにある。
【課題を解決するための手段】
【０００７】
上記課題を解決するために、本発明のある態様の光源装置は、発光曲面を備える面状光源と、発光曲面からの光を発光曲面と角度をなす光出射細長領域に向ける光学部材と、を備える。
【０００８】
本発明の別の態様もまた、光源装置である。この装置は、曲線状前縁を有する発光曲面を備える面状光源と、発光曲面に対向して配置され、曲線状前縁に沿って光出射細長領域を定める光学部材と、を備える。
【０００９】
本発明のさらに別の態様もまた、光源装置である。この装置は、発光面を備える面状光源と、発光面からの光を発光面と角度をなす光出射細長領域に向ける光学部材と、を備える。発光面の面積が光出射細長領域の面積より大きい。
【００１０】
車両用灯具は、上記のいずれかの光源装置を備えてもよい。
【発明の効果】
【００１１】
本発明によれば、有機ＥＬパネルなどの面状光源を用いて細長い発光域を実現する光源装置および車両用灯具を提供することができる。
【図面の簡単な説明】
【００１２】
【図１】実施の形態に係る車両用灯具を説明するための概略断面図である。
【図２】図２（ａ）は、図１に示す光源装置の外観を概略的に示す斜視図であり、図２（ｂ）は、図１に示す光源装置の概略分解斜視図である。
【図３】図２（ａ）のＡ−Ａ線に沿った光源装置の概略断面図である。
【図４】光源装置の発光部の一部分を概略的に示す拡大断面図である。
【図５】光源装置の他の例を示す概略断面図である。
【図６】光源装置の他の例を示す概略外観図である。
【図７】光源装置の他の例を示す概略分解斜視図である。
【図８】光源装置の他の例を示す概略分解斜視図である。
【図９】光源装置の他の例を示す概略分解斜視図である。
【図１０】光源装置の他の例を示す概略斜視図である。
【図１１】光源装置の他の例を示す概略断面図である。
【図１２】光源装置の他の例を示す概略断面図である。
【図１３】光源装置の他の例を示す概略断面図である。
【図１４】光源装置の他の例を示す概略断面図である。
【図１５】光源装置の他の例を示す概略断面図である。
【図１６】光源装置の他の例を示す概略断面図である。
【図１７】車両用灯具の他の例を示す概略斜視図である。
【発明を実施するための形態】
【００１３】
以下、本発明を好適な実施の形態をもとに図面を参照しながら説明する。実施の形態は、発明を限定するものではなく例示であって、実施の形態に記述されるすべての特徴やその組み合わせは、必ずしも発明の本質的なものであるとは限らない。各図面に示される同一または同等の構成要素、部材、処理には、同一の符号を付するものとし、適宜重複した説明は省略する。また、各図に示す各部の縮尺や形状は、説明を容易にするために便宜的に設定されており、特に言及がない限り限定的に解釈されるものではない。
【００１４】
図１は、実施の形態に係る車両用灯具１０を説明するための概略断面図である。車両用灯具１０は、例えば、車両後部に搭載されるテールランプである。
【００１５】
車両用灯具１０は、ランプボディ１２と、ランプボディ１２の前面開口部を覆う透明なカバー１４と、ランプボディ１２およびカバー１４により形成された灯室１６内に設けられた光源装置２０とを備える。光源装置２０は、図示しない支持部材によりランプボディ１２に固定されている。
【００１６】
光源装置２０は、光出射細長領域２２を有する。光出射細長領域２２は、光源装置２０の最前部に位置する。光源装置２０は、光出射細長領域２２からカバー１４を通って車両用灯具１０の外部に向けて光を出射する。光出射細長領域２２は、図１の紙面に垂直な方向に細長く延びている。後述のように、光出射細長領域２２は、ある平面上または曲面上で、曲線状に、折れ線状に、または直線状に、延びている。
【００１７】
光源装置２０は、有機ＥＬパネル２４と光学部材２６を備える。有機ＥＬパネル２４および光学部材２６は、光出射細長領域２２の後方に配置されている。光学部材２６は、後述のように、例えば、透明レンズまたは反射鏡である。
【００１８】
光源装置２０は、光出射細長領域２２からの光出射方向Ｘが有機ＥＬパネル２４の面直方向Ｎと角度をなすよう構成されている。そのため、光学部材２６は、有機ＥＬパネル２４からの入射光の向きを変えて出射するよう構成されている。図示されるように、光出射方向Ｘは、例えば灯具前後方向に一致し、面直方向Ｎと直交する。ただし、これに限られず、光出射方向Ｘは、面直方向Ｎに対し斜めの方向であってもよい。
【００１９】
図２（ａ）は、図１に示す光源装置２０の外観を概略的に示す斜視図である。図２（ｂ）は、図１に示す光源装置２０の概略分解斜視図である。図３は、図２（ａ）のＡ−Ａ線に沿った光源装置２０の概略断面図である。図４は、光源装置２０の発光部の一部分を概略的に示す拡大断面図である。
【００２０】
光源装置２０には、１つの曲折された有機ＥＬパネル２４が設けられている。有機ＥＬパネル２４は、曲面状の発光面（以下、発光曲面という）２５を備える。光学部材２６は、発光曲面２５からの光を光出射細長領域２２に向ける。光出射細長領域２２は、発光曲面２５と垂直に交わる平面上にある。よって光出射細長領域２２は発光曲面２５に垂直である。なお、光出射細長領域２２は、発光曲面２５と任意の角度をなす平面上にあり、発光曲面２５と任意の角度をなしてもよい。
【００２１】
発光曲面２５は、曲線状前縁２５ａを有する。光学部材２６は、発光曲面２５に対向して配置され、曲線状前縁２５ａに沿って光出射細長領域２２を定める。発光曲面２５は、光出射細長領域２２からの光出射方向Ｘとは反対向きに（すなわち曲線状前縁２５ａから後方に向けて）、光出射細長領域２２から延出している。
【００２２】
発光曲面２５は、平面の曲げにより形成される曲面形状を有する。よって、有機ＥＬパネル２４として、可撓性を有する平面状の有機ＥＬパネル、例えば、いわゆる２．５次元曲面ＯＬＥＤパネルを採用することができる。２．５次元曲面ＯＬＥＤパネルは、発光面内の発光均一性が良好であり、紙のように随意に曲げられるという優れた特徴をもつ。
【００２３】
なお、有機ＥＬパネル２４は、発光曲面２５を有するよう予め成形された曲面状の有機ＥＬパネルであってもよい。つまり、この場合、有機ＥＬパネル２４は変形不能であってもよい。
【００２４】
発光曲面２５は、第１平坦部２５ｂ、曲折部２５ｃ、および第２平坦部２５ｄを有する。曲折部２５ｃは、第１平坦部２５ｂを第２平坦部２５ｄに接続する９０度の曲げ部分である。よって、第１平坦部２５ｂは第２平坦部２５ｄと垂直である。光出射細長領域２２は、第１平坦部２５ｂおよび第２平坦部２５ｄのそれぞれに垂直な平面上に延在する。なお発光曲面２５は、平坦部を有しない湾曲形状などその他の曲面形状を有してもよい。
【００２５】
光学部材２６は、板状または棒状の透明レンズである。光学部材２６は、発光曲面２５に面する対向面２６ａを備える。対向面２６ａは、発光曲面２５に沿う曲面形状を有する。対向面２６ａも発光曲面２５と同様に、第１平坦部、曲折部、および第２平坦部を有する。図３に示されるように、対向面２６ａと発光曲面２５との間には透明接着シート等の透明な接着層２８が介在し、これにより有機ＥＬパネル２４が光学部材２６に固定される。
【００２６】
光学部材２６は、対向面２６ａと反対側に反射面２７を備える。対向面２６ａと同様に、反射面２７も発光曲面２５に沿う曲面形状を有しており、反射面２７は反射曲面と呼ぶこともできる。反射面２７は、曲線状前縁２７ａを有する。また、反射面２７は、発光曲面２５の第１平坦部２５ｂ、曲折部２５ｃ、および第２平坦部２５ｄそれぞれに面する第１平坦部２７ｂ、曲折部２７ｃ、および第２平坦部２７ｄを有する。発光曲面２５と同様に、反射面２７は、光出射細長領域２２からの光出射方向Ｘとは反対向きに、光出射細長領域２２から延出している。
【００２７】
反射面２７は、発光曲面２５からの光を光出射細長領域２２に向けて反射する。反射面２７は望ましくは、拡散反射面である。反射面２７は、透明レンズの表面に適宜の金属材料を蒸着して形成した反射面であってもよいし、透明レンズの表面にシボを施して形成した反射面であってもよい。
【００２８】
発光曲面２５の曲線状前縁２５ａと反射面２７の曲線状前縁２７ａとの間に光出射細長領域２２が定められている。このようにして、有機ＥＬパネル２４とこれに面する光学素子との組合せという比較的簡単な構成で、光出射細長領域２２を実現することができる。
【００２９】
一方、反射面２７の曲線状後縁２７ｅは、発光曲面２５の曲線状後縁２５ｅと一致する。図３に示されるように、反射面２７は、曲線状後縁２７ｅから曲線状前縁２７ａに向けて左上がりに傾斜している。図３に例示される反射面２７は湾曲しているが、反射面２７は直線的に傾斜していてもよい。
【００３０】
発光曲面２５の面積は、光出射細長領域２２の面積より大きい。具体的には、発光曲面２５の長さ方向寸法Ｌは光出射細長領域２２のそれと一致するが、光出射細長領域２２の高さＨに比べて発光曲面２５の奥行Ｄが大きい。同様に、反射面２７の面積は、光出射細長領域２２の面積より大きい。このようにして、大面積の発光を光出射細長領域２２に集光し、高輝度の光源装置２０を実現することができる。
【００３１】
例えば、発光曲面２５の奥行Ｄは、光出射細長領域２２の高さＨの５倍またはそれより大きくてもよい。光出射細長領域２２の高さＨは、例えば、１０ｍｍ以下または２０ｍｍ以下であってもよい。光出射細長領域２２の高さＨは、例えば、１ｍｍ以上または２ｍｍ以上であってもよい。
【００３２】
図４に例示するように、有機ＥＬパネル２４は、層状の構造を有する。有機ＥＬパネル２４は、フレキシブル基板３０、陽極層３２、有機発光層３４、陰極層３６、および封止層３８の積層構造を有する。フレキシブル基板３０は、例えば、フレキシブルガラス基板、または、可撓性をもつ樹脂基板である。陽極層３２は、例えば、ＩＴＯなど透明導電層である。陰極層３６は、例えば、アルミニウムなど金属層（例えば金属蒸着層）である。この場合、陰極層３６は不透明であるので、有機ＥＬパネル２４の光出射方向は、図４に矢印３１で示すように、有機発光層３４から陽極層３２およびフレキシブル基板３０を通じて外部に向かう方向となる。なお、フレキシブル基板３０が陰極層３６に隣接し、封止層３８が陽極層３２に隣接してもよい。
【００３３】
説明したように、光源装置２０には有機ＥＬパネル２４の発光曲面２５と角度をなす光出射細長領域２２が設けられている。発光曲面２５からの光が光学部材２６によって光出射細長領域２２に向けられる。このようにして、有機ＥＬパネル２４と同等に均一発光の光出射細長領域２２を実現することができる。
【００３４】
光出射細長領域２２の高さＨは例えば１０ｍｍ以下が可能であり、有機ＥＬパネル２４は高さＨの５倍以上の奥行Ｄをもつことができる。このようにして、１０ｍｍ以下の超薄型で高輝度の光源装置２０を実現することができる。
【００３５】
また、光出射細長領域２２を自由な形状に設計することができる。
【００３６】
図５は、光源装置２０の他の例を示す概略断面図である。図５に示す光源装置２０は、光学部材２６として反射鏡を備える。反射鏡と有機ＥＬパネル２４の間には空気層２９が介在する。このようにしても、発光曲面２５からの光を光出射細長領域２２に向けることができる。
【００３７】
また、図５に示すように、有機ＥＬパネル２４を保持するために、保持部４０が光学部材２６に付属されていてもよい。保持部４０には挿入スロット４２が形成されていてもよい。光源装置２０の製造時に挿入スロット４２を通じて有機ＥＬパネル２４を後方から挿入することができる。
【００３８】
図６は、光源装置２０の他の例を示す概略外観図である。図６に示されるように、光源装置２０は、直線状の光出射細長領域２２を有してもよい。すなわち、光源装置２０は、平坦発光面３９を備える有機ＥＬパネル２４と、平坦発光面３９からの光を光出射細長領域２２に向ける光学部材２６と、を備えてもよい。光出射細長領域２２の高さＨに比べて平坦発光面３９の奥行Ｄが大きい。平坦発光面３９の長さＬは光出射細長領域２２のそれと等しい。よって、平坦発光面３９の面積は、光出射細長領域２２の面積より大きい。
【００３９】
ところで、ハイマウントストップランプの最低光度は２５カンデラである。この最低光度を実現するために、入手可能なＯＬＥＤパネルとして例えば２０００カンデラ／ｍ２のものを用いたとすると、１２５ｃｍ２（すなわち、５ｃｍ×２５ｃｍ）の面積が必要となる。このような大面積のＯＬＥＤパネルを公知の手法で設置した場合、後方視界が顕著に妨げられるため、非現実的である。
【００４０】
しかしながら、図６に示す構成によれば、奥行Ｄが５ｃｍとなるものの、２５ｃｍ２以内（すなわち、１０ｍｍ以内の高さＨと２５ｃｍの長さＬ）の面積で同じ光度を実現することが可能である。したがって、このような構成は、例えば、ハイマウントストップランプに適する。
【００４１】
図７は、光源装置２０の他の例を示す概略分解斜視図である。図７に示す光源装置２０は、発光曲面２５を形成する複数の有機ＥＬパネル２４と、光学部材２６とを備える。光出射細長領域２２の長さ方向に複数の有機ＥＬパネル２４が配列されている。複数の有機ＥＬパネル２４は一部が平面であり、他の一部が曲面である。あるいは、複数の有機ＥＬパネル２４の各々が曲面または平面であってもよい。
【００４２】
複数の有機ＥＬパネル２４は、個別に駆動可能とされている。例えば、光出射細長領域２２の一端から他端へと複数の有機ＥＬパネル２４が順次駆動される。このような構成は、例えば、シーケンシャルターンランプに適する。
【００４３】
複数の有機ＥＬパネル２４は、一部が第１の色で発光し、他の一部が第１の色と異なる第２の色で発光するよう構成されていてもよい。例えば、ある有機ＥＬパネル２４が赤色発光パネルであり、他のある有機ＥＬパネル２４がアンバー色（黄色）発光パネルであってもよい。ある有機ＥＬパネル２４が白色発光パネルであり、他のある有機ＥＬパネル２４がアンバー色発光パネルであってもよい。
【００４４】
光源装置２０は、第１有機ＥＬパネルが第１の色で点灯しているとき第２有機ＥＬパネルを消灯し、第２有機ＥＬパネルが第２の色で点灯しているとき第１有機ＥＬパネルを消灯するよう構成されていてもよい。このようにすれば、光源装置２０は、複数色（例えば二色）の発光を切り替えることができる。光源装置２０は、ある状況では光出射細長領域２２から第１の色の光を発する一方、ある他の状況では光出射細長領域２２から第２の色の光を発することができる。
【００４５】
個々の有機ＥＬパネル２４が単一の色のみを発光することは、必須ではない。光源装置２０は、複数色の発光を可能とする単一の有機ＥＬパネルを備えてもよい。このようにしても、光源装置２０は、第１の色とこれと異なる第２の色とを切り替えることができる。
【００４６】
図８は、光源装置２０の他の例を示す概略分解斜視図である。光源装置２０は、発光曲面２５を形成する複数の有機ＥＬパネル２４と、光学部材２６とを備える。図示されるように、複数の有機ＥＬパネル２４が光源装置２０の奥行方向に配列されていてもよい。このようにしても、図７に示す光源装置２０と同様に、光出射細長領域２２を形成することができる。
【００４７】
図７に示す複数の有機ＥＬパネル２４と同様に、図８に示す複数の有機ＥＬパネル２４もまた、少なくとも１つの有機ＥＬパネル２４が第１の色で発光し、他の少なくとも１つの有機ＥＬパネル２４が第１の色と異なる第２の色で発光するよう構成されていてもよい。個々の有機ＥＬパネル２４が単一の色のみを発光可能であってもよい。あるいは、個々の有機ＥＬパネル２４が複数色の発光を可能としてもよい。
【００４８】
また、図９は、光源装置２０の他の例を示す概略分解斜視図である。図示されるように、複数の有機ＥＬパネルが上下に重ねられていてもよい。第１有機ＥＬパネル４８と光学部材２６の間に第２有機ＥＬパネル５２が挟み込まれる。第１有機ＥＬパネル４８が発する光を透過可能とするために、第２有機ＥＬパネル５２として透明な有機ＥＬパネルが使用される。このようにしても、図７および図８に示す光源装置２０と同様に、光出射細長領域２２が形成される。図９に示す光源装置２０においても、第１有機ＥＬパネル４８が第１の色で発光可能であり、第２有機ＥＬパネル５２が第１の色と異なる第２の色で発光可能であってもよい。
【００４９】
図１０は、光源装置２０の他の例を示す概略斜視図である。上述の実施の形態では光出射細長領域２２が発光曲面２５と交差する平面上に延在するが、これに限られず、光出射細長領域２２は、平面外へと延在してもよい。図１０に示されるように、光出射細長領域２２は、発光曲面２５と交差する他の曲面に沿って延在してもよい。光出射細長領域２２は、図中の右端で下方へと曲げられているのは上述の実施の形態と同様であるが、それに加えて図中の左端で後方へと曲げられている。このようにして、３次元曲線状に延びる光出射細長領域２２を形成することができる。
【００５０】
図１１は、光源装置２０の他の例を示す概略断面図である。図１１に示す光源装置２０は、上述の各実施の形態と同様に、曲線状の光出射細長領域２２を有する。光出射細長領域２２は、紙面に垂直な方向に延びている。光出射細長領域２２は、図１０に示すように、３次元曲線状に延びていてもよい。
【００５１】
光源装置２０は、第１発光曲面４６を備える第１有機ＥＬパネル４８と、第２発光曲面５０を備える第２有機ＥＬパネル５２と、透明レンズである光学部材２６と、反射鏡５４とを備える。第１発光曲面４６と第２発光曲面５０が向かい合うように第１有機ＥＬパネル４８と第２有機ＥＬパネル５２は光学部材２６を挟んで配置されている。光出射方向Ｘにおいて光出射細長領域２２と反対側で光学部材２６に隣接して反射鏡５４が配置されている。
【００５２】
光出射細長領域２２は、第１発光曲面４６の第１曲線状前縁４６ａおよび第２発光曲面５０の第２曲線状前縁５０ａに沿って定められている。図示されるように、光学部材２６は、光出射細長領域２２において光出射方向Ｘに凸状の湾曲面を有してもよい。また、上述の実施の形態のように、光学部材２６は、光出射細長領域２２において平坦であってもよい。あるいは、光学部材２６は、光出射細長領域２２において光出射方向Ｘに凹状の湾曲面を有してもよい。
【００５３】
上述の各実施の形態と同様に、第１発光曲面４６および第２発光曲面５０それぞれの面積は、光出射細長領域２２の面積より大きい。
【００５４】
第１有機ＥＬパネル４８および第２有機ＥＬパネル５２は反射鏡５４に固定されていてもよい。あるいは、図３に示す実施の形態と同様に、第１有機ＥＬパネル４８および第２有機ＥＬパネル５２はそれぞれ、透明な接着層により光学部材２６に固定されていてもよい。
【００５５】
第１有機ＥＬパネル４８は、光源装置２０の面状光源であるとともに、第２有機ＥＬパネル５２からの光を光出射細長領域２２に向ける光学部材としても機能する。そのために、第１有機ＥＬパネル４８は、第１反射層４９を備える。第１反射層４９は、例えば、図４に例示するアルミニウムなど金属製の陰極層３６であってもよい。
【００５６】
同様に、第２有機ＥＬパネル５２は、光源装置２０の面状光源であるとともに、第１有機ＥＬパネル４８からの光を光出射細長領域２２に向ける光学部材としても機能する。そのために、第２有機ＥＬパネル５２は、第２反射層５１を備える。第２反射層５１は、例えば、図４に例示するアルミニウムなど金属製の陰極層３６であってもよい。
【００５７】
また、反射鏡５４は、第１有機ＥＬパネル４８および第２有機ＥＬパネル５２からの光を光出射細長領域２２に向ける光学部材として機能する。なお、反射鏡５４に代えて、光学部材２６は、光出射方向Ｘに光出射細長領域２２と反対側の表面に反射面（例えば拡散反射面）を有してもよい。
【００５８】
なお、光出射細長領域２２は、直線状であってもよい。この場合、第１有機ＥＬパネル４８は、平坦な第１発光面を備え、第２有機ＥＬパネル５２は、平坦な第２発光面を備えてもよい。
【００５９】
図１１に示す光源装置２０によれば、光学部材２６の両側に有機ＥＬパネルが設けられているので、さらに高輝度の光出射細長領域２２を実現することができる。
【００６０】
図１２は、光源装置２０の他の例を示す概略断面図である。図１２に示す光源装置２０は、図１１に示す光源装置２０における光学部材２６が省略されている。第１有機ＥＬパネル４８と第２有機ＥＬパネル５２との間には空気層２９が介在する。
【００６１】
図１３は、光源装置２０の他の例を示す概略断面図である。図１３に示す光源装置２０は、図１２に示す光源装置２０における反射鏡５４が省略されている。第１有機ＥＬパネル４８と第２有機ＥＬパネル５２は光出射細長領域２２と反対側の後縁部が互いに結合されている。
【００６２】
図１４は、光源装置２０の他の例を示す概略断面図である。図１３に示す光源装置２０は、図５に示す光源装置２０における光学部材２６（すなわち反射鏡）に代えて、第２有機ＥＬパネル５２が設けられている。第１有機ＥＬパネル４８と第２有機ＥＬパネル５２は光出射細長領域２２と反対側の後縁部が互いに結合されている。
【００６３】
図１２から図１４に示す光源装置２０においても、図１１に示す光源装置２０と同様に、第１有機ＥＬパネル４８は、光源装置２０の面状光源であるとともに、第２有機ＥＬパネル５２からの光を光出射細長領域２２に向ける光学部材としても機能する。第１有機ＥＬパネル４８は、第２有機ＥＬパネル５２の発光面からの出射光を反射する第１反射層（例えばアルミニウムなどの金属蒸着層）を備える反射鏡とみなすことができる。また、第２有機ＥＬパネル５２は、光源装置２０の面状光源であるとともに、第１有機ＥＬパネル４８からの光を光出射細長領域２２に向ける光学部材としても機能する。第２有機ＥＬパネル５２は、第１有機ＥＬパネル４８の発光面からの出射光を反射する第２反射層（例えばアルミニウムなどの金属蒸着層）を備える反射鏡とみなすことができる。ここで、第１反射層および第２反射層は、図４に例示する陰極層３６であってもよい。
【００６４】
図１２から図１４に示す光源装置２０によっても、図１１に示す光源装置２０と同様に、高輝度の光出射細長領域２２を実現することができる。また、図１３および図１４に示す光源装置２０は、直線状の光出射細長領域２２を簡易な構成で実現できるという利点がある。
【００６５】
図１５は、光源装置２０の他の例を示す概略断面図である。２つの有機ＥＬパネルの対向配置に代えて、図１５に示すように、第２有機ＥＬパネル５２は、第１有機ＥＬパネル４８に対し角度をなして（例えば、垂直に）配置されてもよい。その結果、第２発光曲面５０が第１発光曲面４６に対し角度をなしていてもよい。簡単に言えば、図１５に示す光源装置２０においては、図１２に示す反射鏡５４の代わりに第２有機ＥＬパネル５２が設けられ、図１２に示す第２有機ＥＬパネル５２の代わりに拡散反射面５６が設けられている。
【００６６】
また、第１有機ＥＬパネル４８と光学部材２６との間の空気層２９には、ハーフミラー５８が配置されている。第１有機ＥＬパネル４８の出射光の一部がハーフミラー５８で反射され、光出射細長領域２２に向けられる。第１有機ＥＬパネル４８の出射光の残りはハーフミラー５８を透過して拡散反射面５６に入射する。また、第２有機ＥＬパネル５２の出射光の一部はハーフミラー５８を透過して光出射細長領域２２に向かう。第２有機ＥＬパネル５２の出射光の残りはハーフミラー５８で反射され拡散反射面５６に入射する。拡散反射面５６で反射された光の少なくとも一部は、光出射細長領域２２に向かう。図１５に示す光源装置２０によっても、図１１に示す光源装置２０と同様に、高輝度の光出射細長領域２２を実現することができる。
【００６７】
図１６は、光源装置２０の他の例を示す概略断面図である。図示されるように、第１有機ＥＬパネル４８と第２有機ＥＬパネル５２が背面を合わせるように重ねられていてもよい。光源装置２０は、第１有機ＥＬパネル４８からの出射光を光出射細長領域２２に向けるための第１光学部材６０と、第２有機ＥＬパネル５２からの出射光を光出射細長領域２２に向けるための第２光学部材６２とを備えてもよい。
【００６８】
第１光学部材６０は、図３と同様に、透明レンズと反射面の組み合わせであってもよいし、あるいは、図５と同様に、空気層を挟んで第１有機ＥＬパネル４８と対向配置された反射鏡であってもよい。第２光学部材６２についても同様である。
【００６９】
図１１から図１６に示す光源装置２０においても、複数色の発光を可能としてもよい。第１有機ＥＬパネル４８が第１の色で発光可能であり、第２有機ＥＬパネル５２が第２の色で発光可能であってもよい。第１の色は例えば白色、赤色、またはアンバー色のいずれかであってもよい。第２の色は、第１の色と異なる色であり、かつ、例えば白色、赤色、またはアンバー色のいずれかであってもよい。光源装置２０は、第１有機ＥＬパネルが第１の色で点灯しているとき第２有機ＥＬパネルを消灯し、第２有機ＥＬパネルが第２の色で点灯しているとき第１有機ＥＬパネルを消灯するよう構成されていてもよい。このようにすれば、光源装置２０は、複数色の発光を切り替えることができる。
【００７０】
図１７は、車両用灯具１０の他の例を示す概略斜視図である。図１７に示されるように、車両用灯具１０は、複数の光源装置２０を備えてもよい。複数の光源装置２０は、リアウィングまたはリアスポイラーのような超薄型の構造物４４の中に組み込まれている。構造物４４は湾曲形状を有する。
【００７１】
この場合、一部の光源装置２０ａが第１の色（例えば赤色）で発光し、他の一部の光源装置２０ｂが第１の色と異なる第２の色（例えばアンバー色または黄色）で発光してもよい。このようにして、光源装置２０ａがテールランプおよびストップランプとして使用され、光源装置２０ｂがターンランプとして使用されてもよい。
【００７２】
本発明は、上述の実施の形態に限定されるものではなく、当業者の知識に基づいて各種の設計変更等の変形を加えることが可能であり、そのような変形が加えられた実施の形態も本発明の範囲に含まれる。
【００７３】
上述の実施の形態で例示した特定の種類の灯具のみならず、光源装置２０は、テールランプ、ストップランプ、ターンランプ、クリアランスランプ、デイタイムランニングランプなど任意の種類の車両用標識灯、またはその他の車両用灯具に適用可能である。
【００７４】
上述の実施の形態では、光源装置２０は、１つまたは複数の有機ＥＬパネルを備えるが、光源装置２０は、有機ＥＬパネルとともにまたはそれに代えて、ＬＥＤパネルなどその他の形式の１つまたは複数の面状光源を備えてもよい。
【符号の説明】
【００７５】
１０  車両用灯具、  ２０  光源装置、  ２２  光出射細長領域、  ２４  有機ＥＬパネル、  ２５  発光曲面、  ２５ａ  曲線状前縁、  ２６  光学部材、  ２７  反射面、  ２７ａ  曲線状前縁。
【図１】
2017191769.tif 000003
【図２】
2017191769.tif 000004
【図３】
2017191769.tif 000005
【図４】
2017191769.tif 000006
【図５】
2017191769.tif 000007
【図６】
2017191769.tif 000008
【図７】
2017191769.tif 000009
【図８】
2017191769.tif 000010
【図９】
2017191769.tif 000011
【図１０】
2017191769.tif 000012
【図１１】
2017191769.tif 000013
【図１２】
2017191769.tif 000014
【図１３】
2017191769.tif 000015
【図１４】
2017191769.tif 000016
【図１５】
2017191769.tif 000017
【図１６】
2017191769.tif 000018
【図１７】
2017191769.tif 000019